(57)【特許請求の範囲】
【請求項１】
壁面、柱などの被固着体（Ｗ）に固着されるベース部材（１）と、前記ベース部材に嵌合して着脱可能に取り付けられる本体部材（２０）とから成る掛け具において、前記ベース部材は、前記被固着体に固着される板状の基板（２）と、前記基板から前方に突出すると共に２つの鉛直平行平面から成る側外面（７、７）と前記基板に対して所定角度で斜め上方に延びる上外面（８、８）と前記２つの側外面の間に前記上外面より下方に配設されて下方に突出する係止端（１１）とを有する嵌合突起（５）とを備え、前記本体部材は、２つの鉛直平行平面から成る側内面（２４、２４）と前記所定角度で斜め上方に延びる上内面（２６）と前記上内面より下方に配設されて水平に延びる上平面（２８、２８）とを有する嵌合凹部（２２）を備え、前記嵌合凹部が前記嵌合突起に嵌合されて、前記２つの側内面は前記２つの側外面を外嵌し、前記上内面は前記上外面に係止して支持され、前記上平面は前記係止端に弾性的に係合することを特徴とする掛け具の取付構造。
【請求項２】
前記所定角度は、２０°〜４５°の範囲であることを特徴とする、請求項１に記載の掛け具の取付構造。
【請求項３】
前記本体部材（２０）は、前記ベース部材（１）を内包することを特徴とする、請求項１又は２に記載の掛け具の取付構造。
【発明の詳細な説明】
【０００１】
【発明の属する技術分野】
本発明は、掛け具の取付構造、特に、カーテン房掛け具、軽量フック等を壁面、柱等に取り付けるための掛け具に実施されて好適な、掛け具の取付構造に関する。
【０００２】
【従来の技術】
従来の掛け具の取付構造、特に、カーテン房掛け具、軽量フック等を壁面、柱等に取り付けるために用いられる掛け具の取付構造としては、掛け具の本体部材を直接壁面、柱等に取り付けるものと、本体部材とベース部材とから構成して、まずベース部材を壁面、柱等に取り付け、そのあと本体部材をこのベース部材に取り付けるものとがある。後者については、さらに本体部材をスライドさせてベース部材に取り付けるもの、本体部材をベース部材にねじ込んで取り付けるもの等がある。
【０００３】
【発明が解決しようとする課題】
上述した従来の掛け具の取付構造において、掛け具の本体部材を直接壁面、柱等に取り付けるものについては、取り付けるための釘やねじの頭部が掛け具の表面に露出してしまい、掛け具の意匠性が損なわれるという問題がある。この一方、本体部材とベース部材とから成る掛け具に関し、本体部材をスライドさせてベース部材に着脱するものについては、スライドさせることにより本体部材が壁面等を傷つけるという問題がある。また、本体部材をベース部材にねじ込んで取り付けるものについては、この取付けに時間がかかり作業性が悪いという問題がある。さらに、本体部材とベース部材とから成る掛け具のいずれについても、カーテン房掛け具、軽量フック等を他の場所に移動する場合に、本体部材をベース部材から取り外すのに手間取るという問題がある。
【０００４】
本発明はこのような問題を解決するためになされたもので、掛け具の本体部材の取付け及び取り外しが容易であり、本体部材を着脱する際に壁面等を傷つけることがなく、好ましくは、掛け具の意匠性を損なうことがない掛け具の取付構造を提供することを課題とする。
【０００５】
【課題を解決するための手段】
上述の課題を解決するために、本発明の掛け具の取付構造は、壁面、柱などの被固着体に固着されるベース部材と、このベース部材に嵌合して着脱可能に取り付けられる本体部材とから成る掛け具において、ベース部材は、被固着体に固着される板状の基板と、基板から前方に突出すると共に２つの鉛直平行平面から成る側外面と基板に対して所定角度で斜め上方に延びる上外面と２つの側外面の間に上外面より下方に配設されて下方に突出する係止端とを有する嵌合突起とを備える。また、本体部材は、２つの鉛直平行平面から成る側内面と上記所定角度で斜め上方に延びる上内面と上内面より下方に配設されて水平に延びる上平面とを有する嵌合凹部を備える。そして、この嵌合凹部が嵌合突起に嵌合されて、２つの側内面は２つの側外面を外嵌し、上内面は上外面に係止して支持され、上平面は係止端に弾性的に係合する。この手段によれば、本体部材をベース部材に取り付ける際には、まず、本体部材の嵌合凹部の２つの側内面をベース部材の嵌合突起の２つの側外面に外嵌させ、これと共に前者の上内面を後者の上外面に係止し、次に、本体部材の下部を手前からベース部材側に押し込んで、本体部材の嵌合凹部の上平面をベース部材の嵌合突起の係止端に係止させる。また、本体部材をベース部材から取り外す際には、本体部材の下部を手前に引き上げて、本体部材の嵌合凹部の上平面をベース部材の嵌合突起の係止端から離脱させる。
【０００６】
上記所定角度は、例えば、２０°〜４５°の範囲である。好ましくは、本体部材はベース部材を内包することができる。
【０００７】
【発明の実施の形態】
以下に、本発明の実施の形態を、図１ないし図４を参照して詳細に説明する。図１は、本発明に係る掛け具の取付構造を示し、符合１はベース部材、２０は本体部材を示す。図２（ａ）、（ｂ）及び（ｃ）に示すように、ベース部材１は樹脂製であり、円板状の基板２と、この基板２から突出する嵌合突起５とから形成される。基板２には、上部に２個、下部に１個の釘孔３が夫々設けられる。嵌合突起５は、両側の側壁部６、６と、この側壁部６、６の間に水平に横架された係止部１０とから形成される。この側壁部６、６の外側面（嵌合突起の側外面）７、７は、相互に平行な鉛直平面を形成する。また、各側壁部６の上面（嵌合突起の上外面）８は、基板２に対して２０°〜４５°の範囲で設定した角度Ａで斜め上方に延びる。係止部１０は、側壁部６の上面８より下方に配設されて、この上面８と同方向に傾斜する傾斜面１２を有し、その係止端１１が下方に突出する。
【０００８】
図３（ａ）及び（ｂ）に示すように、本体部材２０は樹脂製であり、短円柱状の嵌合部２１と、この嵌合部２１から上方に延出する板状のアーム部３０とから形成される。嵌合部２１のベース部材１への取付け側には、嵌合凹部２２が凹設される。この嵌合凹部２２に、上下方向に平行に延びる２つのリブ２３、２３を配設する。２つのリブ２３、２３の対向する側面（嵌合凹部の側内面）２４、２４は、相互に平行な鉛直平面を形成する。横方向に延びるリブ２５を、リブ２３の上方に配設する。リブ２５の下面（嵌合凹部の上内面）２６は、本体部材２０がベース部材１に取り付けられたとき下面２６がベース部材１の側壁部６の上面８を外嵌するように、図３（ｂ）に示すように、図示水平位置から上述した側壁部６の上面８に関する角度Ａ、つまりベース部材１の基板２に対して角度Ａで斜め上方に延びる。水平に延びる２つの上面（嵌合凹部の上平面）２８、２８を有するリブ２７を、リブ２５の下方に設ける。リブ２７の先端に、傾斜面２７ａを形成する。上述したリブ２３と同一の高さを有するリブ２９を、各リブ２３の下方に夫々配設する。
【０００９】
次に、本発明に係る掛け具の取付構造の使用方法を、図１、図４（ａ）及び図４（ｂ）を参照して説明する。
図４（ａ）に示すように、まず、ベース部材１を、上述した基板２の釘孔３を用いて壁面（被固着体）Ｗに釘付けする。次に、本体部材２０のリブ２３の２つの平行な側面２４、２４を、ベース部材１の側壁部６の２つの平行な外側面７、７に外嵌させる。これと共に、本体部材２０のリブ２５の下面２６を、ベース部材１の側壁部６の上面８に係止する。これにより、本体部材２０の横方向の動きが規制される。そして、図４（ａ）において矢印で示すように、本体部材２０の嵌合部２１の下部を手前からベース部材１側に押し込む。このとき、図３（ａ）及び（ｂ）で示す本体部材２０のリブ２７の傾斜面２７ａが、図３（ａ）及び（ｃ）で示すベース部材１の係止部１０の傾斜面１２を滑り、本体部材２０のリブ２７の上面２８がベース部材１の係止部１０の係止端１１に弾性的に、つまり弾性変形により係合する。これにより、本体部材２０の縦方向の動きが規制される。
【００１０】
このように、リブ２７の傾斜面２７ａが係止部１０の傾斜面１２を滑るので、本体部材２０のリブ２５の下面２６をベース部材１の側壁部６の上面８に係止させて、本体部材２０をベース部材１に単に押し込むだけで、本体部材２０のリブ２７の上面２８をベース部材１の係止部１０の係止端１１に自動的に係合させることができる。そして、本体部材２０をベース部材１にさらに押し込むと、図３（ａ）に示す本体部材２０のリブ２３の先端部２３ａ及びリブ２９の先端部２９ａが、ベース部材１の基板２に夫々当接する。これにより、本体部材２０のベース部材１への取付けが完了する。このように、本体部材２０の取付けは極めて容易である。このとき、本体部材２０はベース部材１を内包しており、ベース部材１は本体部材２０に完全に覆われて美観上も優れたものとなり、掛け具の意匠性が確保される。
【００１１】
この本体部材２０に垂直荷重を掛けると、本体部材２０のリブ２５の下面２６とベース部材１の嵌合突起５の上面８が、水平位置から斜め上方に２０°〜４５°の範囲で設定した角度Ａで係止しているため、鉛直荷重が加われば加わる程、本体部材２０とベース部材１との嵌合状態は安定する。
次に、図４（ｂ）に示すように、本体部材２０のアーム部３０を壁面Ｗ側に押すと、本体部材２０の下部がベース部材１側から手前に引き上げられて、本体部材２０のリブ２７の上面２８がベース部材１の係止部１０の係止端１１から弾性的に外れて離脱する。これにより、本体部材２０がベース部材１から取り外される。このように、本体部材２０の取り外しは極めて容易である。
【００１２】
【発明の効果】
以上詳細に説明したように、本発明の掛け具の取付構造によれば、本体部材をベース部材に取り付ける際には、まず、本体部材の嵌合凹部の２つの側内面をベース部材の嵌合突起の２つの側外面に外嵌させ、これと共に前者の上内面を後者の上外面に係止し、次に、本体部材の下部を手前からベース部材側に押し込んで、本体部材の嵌合凹部の上平面をベース部材の嵌合突起の係止端に係止させればよい。また、本体部材をベース部材から取り外す際には、本体部材の下部を手前に引き上げて、本体部材の嵌合凹部の上平面をベース部材の嵌合突起の係止端から離脱させればよい。従って、本体部材の取付け及び取り外しが極めて容易になると共に、本体部材の着脱の際に本体部材をベース部材にスライドさせる必要がないから、壁面等を傷つけることもないという優れた効果を奏する。
【図面の簡単な説明】
【図１】本発明に係る掛け具の取付構造を示す側面断面図である。
【図２】図１のベース部材１の詳細な構成を示す図であり、（ａ）は正面図、（ｂ）は右側面図、（ｃ）は側面断面図である。
【図３】図１の本体部材２０の詳細な構成を示す図であり、（ａ）は背面図、（ｂ）は側面断面図である。
【図４】図１の本体部材２０をベース部材１に着脱する方法を示す図であり、（ａ）は取り付けるときの状態を示し、（ｂ）は取り外すときの状態を示す。
【符号の説明】
１  ベース部材、２  基板、３  釘孔、５  嵌合突起、６  側壁部、７  外側面、８  上面、１０  係止部、１１  係止端、１２  傾斜面、２０  本体部材、２１  嵌合部、２２  嵌合凹部、２３  リブ、２３ａ  先端部、２４  側面、２５  リブ、２６  下面、２７  リブ、２７ａ  傾斜面、２８  上面、２９  リブ、２９ａ  先端部、３０  アーム部、Ａ  角度、Ｗ  壁面
【図１】
0003849130.tif 000002
【図２】
0003849130.tif 000003
【図３】
0003849130.tif 000004
【図４】
0003849130.tif 000005